(57)【要約】改善された汚れ懸濁効果を有する液体洗濯洗剤であって、約０．１重量％〜約５重量％のアルコキシル化ポリエチレンイミンと、非イオン性（ＮＩ）界面活性剤及びアニオン性（ＡＩ）界面活性剤の両方を約１．７〜２０のＮＩ対ＡＩ重量比で含む特定の界面活性剤系と、を含有する、液体洗濯洗剤が提供される。
2021528542.tif 000002
【特許請求の範囲】
【請求項１】
液体洗濯洗剤組成物であって、
ａ）０．１重量％〜５重量％の、１本以上のアルコキシ側鎖がポリアルキレンイミンコアにおける少なくとも１つの窒素原子に結合しているポリアルキレンイミンコアを有するアルコキシル化ポリエチレンイミンと、
ｂ）６重量％〜５０重量％の１種以上の非イオン性（ＮＩ）界面活性剤及び１種以上のアニオン性（ＡＩ）界面活性剤と、
を含み、
前記ＮＩ対ＡＩ重量比が、１．７〜２０の範囲である、液体洗濯洗剤組成物。
【請求項２】
前記ＮＩ対ＡＩ重量比が、１．８〜１０、好ましくは２〜５の範囲である、請求項１に記載の液体洗濯洗剤組成物。
【請求項３】
前記１種以上のＮＩ界面活性剤が、アルキルアルコキシル化アルコール、アルキルアルコキシル化フェノール、アルキル多糖類、ポリヒドロキシ脂肪酸アミド、及びこれらの組み合わせからなる群から選択され、好ましくは、前記１種以上のＮＩ界面活性剤が、１〜２０、好ましくは５〜１５、より好ましくは７〜１０の範囲の重量平均エトキシル化度を有するＣ８〜Ｃ１８アルキルエトキシル化アルコールを含む、請求項１又は２に記載の液体洗濯洗剤組成物。
【請求項４】
前記１種以上のＮＩ界面活性剤が、５重量％〜４５重量％、好ましくは８重量％〜４０重量％、より好ましくは９重量％〜３０重量％の範囲の量で前記液体洗濯洗剤組成物中に存在する、請求項１〜３のいずれか一項に記載の液体洗濯洗剤組成物。
【請求項５】
前記１種以上のＡＩ界面活性剤が、Ｃ１０〜Ｃ２０直鎖状アルキルベンゼンスルホネート、Ｃ１０〜Ｃ２０直鎖状又は分枝鎖状アルキルサルフェート、０．１〜５．０の範囲の重量平均エトキシル化度を有するＣ１０〜Ｃ２０直鎖状又は分枝鎖状アルキルエトキシサルフェート、Ｃ１０〜Ｃ２０直鎖状又は分枝鎖状アルキルエステルサルフェート、Ｃ１０〜Ｃ２０直鎖状又は分枝鎖状アルキルスルホネート、Ｃ１０〜Ｃ２０直鎖状又は分枝鎖状アルキルエステルスルホネート、Ｃ１０〜Ｃ２０直鎖状又は分枝鎖状アルキルホスフェート、Ｃ１０〜Ｃ２０直鎖状又は分枝鎖状アルキルホスホネート、Ｃ１０〜Ｃ２０直鎖状又は分枝鎖状アルキルカルボキシレート、並びにこれらの組み合わせからなる群から選択され、前記１種以上のＡＩ界面活性剤が、好ましくは、Ｃ１０〜Ｃ２０直鎖状アルキルベンゼンスルホネート、及び０．１〜５、好ましくは０．５〜４、より好ましくは１〜３の範囲の重量平均エトキシル化度を有するＣ１０〜Ｃ２０直鎖状又は分枝鎖状アルキルエトキシサルフェートを含む、請求項１〜４のいずれか一項に記載の液体洗濯洗剤組成物。
【請求項６】
前記１種以上のＡＩ界面活性剤が、０．５重量％〜１５重量％、好ましくは１重量％〜１２重量％、より好ましくは２重量％〜１０重量％の範囲の量で前記液体洗濯洗剤組成物中に存在する、請求項１〜５のいずれか一項に記載の液体洗濯洗剤組成物。
【請求項７】
０．２重量％〜３重量％、好ましくは０．５重量％〜１重量％の前記アルコキシル化ポリエチレンイミンを含む、請求項１〜６のいずれか一項に記載の液体洗濯洗剤組成物。
【請求項８】
前記アルコキシル化ポリエチレンイミンが、実験式（ＰＥＩ）ａ−（ＥＯ）ｂ−（ＰＯ）ｃ−Ｒ１を有し、式中、ａは、前記アルコキシル化ポリアルキレンイミンのポリアルキレンイミンコアの重量平均分子量（ＭＷＰＥＩ）であり、かつ１００〜１００，０００ダルトン、好ましくは２００〜２０，０００ダルトン、より好ましくは５００〜２，０００ダルトンの範囲であり、ｂは、前記アルコキシル化ポリアルキレンイミンの前記１本以上の側鎖における重量平均エトキシル化度であり、かつ５〜４０、好ましくは１０〜３０、より好ましくは１５〜２５の範囲であり、ｃは、前記アルコキシル化ポリアルキレンイミンの前記１本以上の側鎖における重量平均プロポキシル化度であって、０〜５０、好ましくは０〜３０、より好ましくは０〜２０の範囲であり、Ｒ１は、独立して、水素、Ｃ１〜Ｃ４アルキル、及びこれらの組み合わせからなる群から選択される、請求項１〜７のいずれか一項に記載の液体洗濯洗剤組成物。
【請求項９】
液体洗濯洗剤組成物であって、
１）０．５重量％〜１重量％の、実験式（ＰＥＩ）ａ−（ＥＯ）ｂ−（ＰＯ）ｃ−Ｒ１を有し、式中、ａは、アルコキシル化ポリアルキレンイミンのポリアルキレンイミンコアの重量平均分子量（ＭＷＰＥＩ）であり、かつ５００〜２，０００ダルトンの範囲であり、ｂは、前記アルコキシル化ポリアルキレンイミンの前記１本以上の側鎖における重量平均エトキシル化度であり、かつ１５〜２５の範囲であり、ｃは、前記アルコキシル化ポリアルキレンイミンの前記１本以上の側鎖における重量平均プロポキシル化度であり、かつ０であり、Ｒ１は水素である、アルコキシル化ポリエチレンイミンと、
２）９重量％〜３０重量％の、７〜１０の範囲の重量平均エトキシル化度を有するＣ８〜Ｃ１８アルキルエトキシル化アルコールである非イオン性（ＮＩ）界面活性剤と、
３）２重量％〜１０重量％の、Ｃ１０〜Ｃ２０直鎖状アルキルベンゼンスルホネート（ＬＡＳ）及び１〜３の範囲の重量平均エトキシル化度を有するＣ１０〜Ｃ２０直鎖状又は分枝鎖状アルキルエトキシサルフェート（ＡＥＳ）と、
を含み、
前記ＮＩ対ＡＩ重量比が、２〜５の範囲である、液体洗濯洗剤組成物。
【請求項１０】
前記ＬＡＳ対ＡＥＳ重量比が、１：２〜５：１、好ましくは１：１〜４：１、より好ましくは１．５：１〜３：１の範囲である、請求項９に記載の液体洗濯洗剤組成物。
【請求項１１】
布地を処理するための、請求項１〜１０のいずれか一項に記載の液体洗濯洗剤組成物の使用。
【発明の詳細な説明】
【技術分野】
【０００１】
本発明は、洗浄組成物、具体的には、布地を処理するのに有用な液体洗濯洗剤組成物に関する。
【背景技術】
【０００２】
今日の消費者は、環境への影響を最小限に抑えながら優れた全体的な洗浄効果を提供する洗濯洗剤を望んでいる。洗剤業界は、従来、洗浄効果をもたらすために界面活性剤を利用してきた。しかしながら、環境問題の増加、並びに原材料のコスト上昇のために、洗浄効果を得るために界面活性剤のみに又は重度に依存する従来の方法は、今日の消費者には徐々に好まれなくなってきている。
【０００３】
それに対応して、洗濯洗剤製造業者は、消費者に優れた全体的な洗浄結果を依然として提供しながら、その製品において使用される界面活性剤の総量を低減し、環境に対する洗濯の悪影響を最小限に抑えるための新規方法を模索している。
【０００４】
アルコキシル化ポリアルキレンイミン（ＡＰＥＩ）は、ポリアルキレンオキシドブロックによって取り囲まれたポリアルキレンイミン主鎖又はコアを有するポリマーの群である。これらは、布地表面からの汚れの除去を支援し、洗浄液中に分散した汚れの懸濁を安定化させ、懸濁した汚れが布地表面上に再付着するのを防止するために、低界面活性剤液体洗剤製剤において洗剤添加剤として使用されてきた。そのようなＡＰＥＩポリマーを使用することにより、消費者に優れた全体的な洗浄性能を依然として提供しながら、そのような液体洗濯洗剤製品中の総界面活性剤濃度を低減することが可能になる。それに対応して、各洗浄後に環境に放出される界面活性剤がより少なくなり、その結果、そのような洗濯洗剤製品の環境「フットプリント」が低減される。
【発明の概要】
【発明が解決しようとする課題】
【０００５】
総界面活性剤含量を増加させることも、その環境「フットプリント」を拡大することもなく、液体洗濯洗剤組成物の汚れ除去効果又は洗浄性能を更に改善する必要性が継続して存在する。
【課題を解決するための手段】
【０００６】
液体洗濯洗剤組成物が、特定の界面活性剤系、すなわち、非イオン性（ＮＩ）界面活性剤及びアニオン性（ＡＩ）界面活性剤の両方を特定のＮＩ対ＡＩ重量比で、ＡＰＥＩポリマーと組み合わせて使用する場合、得られる汚れ除去効果又は洗浄性能が、異なる界面活性剤系（例えば、本発明の望ましい範囲外のＮＩ対ＡＩ重量比を有する）を使用するＡＰＥＩ含有液体洗濯洗剤組成物と比較して更に改善されることは、本発明の驚くべき発見である。
【０００７】
一態様において、本発明は、
ａ）０．１重量％〜５重量％の、１本以上のアルコキシ側鎖がポリアルキレンイミンコアにおける少なくとも１つの窒素原子に結合しているポリアルキレンイミンコアを有するアルコキシル化ポリエチレンイミンと、
ｂ）６重量％〜５０重量％の１種以上の非イオン性（ＮＩ）界面活性剤及び１種以上のアニオン性（ＡＩ）界面活性剤と、
を含み、
ＮＩ対ＡＩ重量比が、１．７〜２０の範囲である、液体洗濯洗剤組成物に関する。
【０００８】
特に好ましい実施形態では、本発明は、
１）０．５重量％〜１重量％の、実験式（ＰＥＩ）ａ−（ＥＯ）ｂ−（ＰＯ）ｃ−Ｒ１を有し、式中、ａは、アルコキシル化ポリアルキレンイミンのポリアルキレンイミンコアの重量平均分子量（ＭＷＰＥＩ）であり、かつ５００〜２，０００ダルトンの範囲であり、ｂは、アルコキシル化ポリアルキレンイミンの当該１本以上の側鎖における重量平均エトキシル化度であり、かつ１５〜２５の範囲であり、ｃは、アルコキシル化ポリアルキレンイミンの１本以上の側鎖における重量平均プロポキシル化度であり、かつ０であり、Ｒ１は水素である、アルコキシル化ポリエチレンイミンと、
２）９重量％〜３０重量％の、７〜１０の範囲の重量平均エトキシル化度を有するＣ８〜Ｃ１８アルキルエトキシル化アルコールである非イオン性（ＮＩ）界面活性剤と、
３）２重量％〜１０重量％の、Ｃ１０〜Ｃ２０直鎖状アルキルベンゼンスルホネート（ＬＡＳ）及び１〜３の範囲の重量平均エトキシル化度を有するＣ１０〜Ｃ２０直鎖状又は分枝鎖状アルキルエトキシサルフェート（ＡＥＳ）と、
を含み、
ＮＩ対ＡＩ重量比が、２〜５の範囲である、液体洗濯洗剤組成物に関する。
【０００９】
本発明はまた、布地を処理するための上述の液体洗濯洗剤組成物の使用にも関し得る。
【００１０】
本発明のこれらの特徴及びその他の特徴は、以下の詳細な説明を添付の特許請求の範囲と併せて検討することで当業者には明らかとなろう。
【図面の簡単な説明】
【００１１】
【図１】同じ総界面活性剤濃度を有する様々なＡＰＥＩ含有液体洗濯洗剤組成物における、ＮＩ対ＡＩ重量比の関数としての、粘土／汚れの再付着によって引き起こされる色変化（ΔＥ）をプロットしたグラフである。
【発明を実施するための形態】
【００１２】
本明細書で使用するところの「ａ」及び「ａｎ」なる冠詞は、特許請求の範囲において使用される場合、特許請求又は記載されるものの１つ以上を意味するものと理解される。
【００１３】
本明細書で使用するところの「ｃｏｍｐｒｉｓｉｎｇ（含む）」、「ｃｏｍｐｒｉｓｅｓ（含む）」、「ｉｎｃｌｕｄｅ（含む）」、「ｉｎｃｌｕｄｅｓ（含む）」及び「ｉｎｃｌｕｄｉｎｇ（含む）」なる用語は、非限定的であることを意味する。
【００１４】
本明細書で使用するところの「ｓｕｂｓｔａｎｔｉａｌｌｙ  ｆｒｅｅ  ｏｆ（〜を実質的に含まない）」又は「ｓｕｂｓｔａｎｔｉａｌｌｙ  ｆｒｅｅ  ｆｒｏｍ（〜を実質的に含まない）」なる用語は、示される物質が、約５重量％以下、好ましくは約２％重量以下、より好ましくは約１重量％以下の量で存在することを意味する。
【００１５】
本明細書で使用するところの「ｅｓｓｅｎｔｉａｌｌｙ  ｆｒｅｅ  ｏｆ（〜を本質的に含まない）」又は「ｅｓｓｅｎｔｉａｌｌｙ  ｆｒｅｅ  ｆｒｏｍ（〜を本質的に含まない）」なる用語は、示される物質が極めて少量であり、組成物に意図的に添加されたものでなく、又は好ましくは、そのような組成物中に分析によって検出可能な濃度で存在しないことを意味する。示される物質がかかる組成物に意図的に添加された物質のうちの１種以上の不純物としてのみ存在するような組成物が含まれ得る。
【００１６】
本明細書で使用するところの「液体」なる用語は、２５℃、２０秒−１のせん断速度における粘度が約１〜約２０００ｍＰａ＊ｓである液体を有する流体のことを指す。いくつかの実施形態では、液体の粘度は、２５℃、２０秒−１のせん断速度で、約２００〜約１０００ｍＰａ＊ｓの範囲であってよい。いくつかの実施形態では、液体の粘度は、２５℃、２０秒−１のせん断速度で、約２００〜約５００ｍＰａ＊ｓの範囲であってよい。
【００１７】
特に記載のない限り、本明細書で使用するとき、用語「分子量」は、ポリマー組成物中のポリマー鎖の重量平均分子量（ＭＷｗ）を指し、以下の式を用いて計算することができる。
ＭＷｗ＝（Σｉ  Ｎｉ  Ｍｉ２）／（Σｉ  Ｎｉ  Ｍｉ）
式中、Ｎｉは、分子量Ｍｉを有する分子の数である。
【００１８】
特に記載のない限り、本明細書で使用するとき、用語「アルキル」は、直鎖状又は分枝鎖状、置換又は非置換であり得るＣ１〜Ｃ１０ヒドロカルビル部分を意味する。
【００１９】
本明細書で使用するところの「ヒドロカルビル」なる用語は、炭素原子及び水素原子で構成された任意の有機単位又は部分として本明細書では定義される。「ヒドロカルビル」の定義に含まれるものとして、芳香族（アリール）及び非芳香族炭素環がある。ヒドロカルビルという用語には、ヘテロ環が更に含まれる。「ヘテロ環」なる用語には、芳香族（ヘテロアリール）及び非芳香族のヘテロ環の両方が含まれる。
【００２０】
本明細書における全ての温度は、特に断らない限り、摂氏（℃）である。特に記載がない限り、本明細書における全ての測定は、２５℃及び大気圧下で行われる。本発明の全ての実施形態において、全ての比率（％）は、特に記載のない限り、全組成物の重量に対するものである。特に記載のない限り、全ての比は重量比である。
【００２１】
本出願の試験方法の項に開示される試験方法を用いて、本明細書において説明されかつ特許請求される本出願者らの発明のパラメータのそれぞれの値が測定されなければならない点が理解されよう。
【００２２】
アルコキシル化ポリアルキレンイミン（ＡＰＥＩ）
本発明の液体洗濯洗剤組成物は、式（１）、（２）、（３）及び（４）の反復単位を含有するものとして表すことができる、少なくとも１つのアルコキシル化ポリアルキレンイミン（ＡＰＥＩ）を含有する。
【００２３】
【化１】
2021528542.tif 000003
式中、
＃は、いずれの場合も、窒素原子と、式（１）、（２）、（３）又は（４）の２つの隣接する反復単位の基Ａ１の遊離結合位置と、の間の結合の半分を示し、
Ａ１は、独立して、直鎖状又は分枝鎖状Ｃ２〜Ｃ６アルキレンから選択され、
Ｅは、独立して、式（５）のアルキレンオキシ単位から選択され、
【００２４】
【化２】
2021528542.tif 000004
式中、
＊は、いずれも場合も、式（１）、（２）又は（４）の反復単位の窒素原子に対する結合を示し、
Ａ２は、いずれも場合も、独立して、１，２−プロピレン、１，２−ブチレン及び１，２−イソブチレンから選択され、
Ｒは、いずれも場合も、独立して、水素及びＣ１〜Ｃ４−アルキルから選択され、
ｍは、０〜約２の範囲の重量平均値を有し、
ｎは、約２０〜約５０の範囲の重量平均値を有し、
ｐは、約１０〜約５０の有理数であり、
個々のＡＰＥＩは、１個の式（１）の反復単位、ｘ個の式（２）の反復単位、ｙ個の式（３）の反復単位、及びｙ＋１個の式（４）の反復単位からなり、ｘ及びｙは、いずれの場合も、０〜約１５０の範囲の値を有し、ポリマーは、０〜約５０％の四級化度を有する。
【００２５】
単純化された表現では、本発明のＡＰＥＩは、１本以上のアルコキシ側鎖がポリアルキレンイミンコアにおける少なくとも１つの窒素原子に結合しているポリアルキレンイミンコアを有するものと解釈することができる。ポリアルキレンイミンコアは、アルキレンオキシ単位Ｅを差し引いた、上述した式（１）、（２）、（３）及び（４）の反復単位によって形成される。１本以上のアルコキシ側鎖は、上述のとおりアルキレンオキシ単位Ｅによって形成され、好ましくは、内側ポリエチレンオキシドブロック及び外側ポリプロピレンオキシドブロックを有する。
【００２６】
本発明のＡＰＥＩは、以下の実験式によって表すことができる。
（ＰＥＩ）ａ−（ＥＯ）ｂ−（ＰＯ）ｃ−Ｒ１
具体的には、ａは、アルコキシル化ポリアルキレンイミンのポリアルキレンイミンコアの重量平均分子量（ＭＷＰＥＩ）であり、１００〜１００，０００ダルトン、好ましくは２００〜２０，０００ダルトン、より好ましくは５００〜２，０００ダルトンの範囲である。更に、ｂは、アルコキシル化ポリアルキレンイミンの１本以上の側鎖における重量平均エトキシル化度であり、５〜４０、好ましくは１０〜３０、より好ましくは１５〜２５の範囲である。また更に、ｃは、アルコキシル化ポリアルキレンイミンの１本以上の側鎖における重量平均プロポキシル化度であって、０〜５０、好ましくは０〜３０、より好ましくは０〜２０の範囲である。末端基Ｒ１は、独立して、水素、Ｃ１〜Ｃ４アルキル、及びこれらの組み合わせからなる群から選択される。
【００２７】
本発明の好ましい実施形態では、液体洗濯洗剤組成物は、（ＰＥＩ）５００−２０００（ＥＯ）１５−２５の実験式によって表すことができる少なくとも第１のＡＰＥＩを含有する。
【００２８】
任意に、本発明の液体洗濯洗剤組成物は、（ＰＥＩ）５００−２０００（ＥＯ）１５−２５（ＰＯ）１０−２０の実験式によって表すことができる第２のＡＰＥＩを更に含有していてもよい。両方が存在する場合、そのような第１及び第２のＡＰＥＩ間の重量比は、約１：１〜約１０：１、好ましくは約１：１〜約５：１、より好ましくは約１：１〜約２：１の範囲であり得る。
【００２９】
上記ＡＰＥＩは、本発明の液体洗濯洗剤組成物中に、約０．１重量％〜約５重量％、好ましくは約０．２重量％〜３重量％、より好ましくは約０．５重量％〜約１重量％の範囲の量で存在し得る。特に好ましい実施形態では、液体洗濯洗剤組成物は、約０．５重量％〜約１重量％の、（ＰＥＩ）５００−２０００（ＥＯ）１５−２５の実験式を有するＡＰＥＩを含有する。
【００３０】
界面活性剤系
上記のＡＰＥＩに加えて、本発明の液体洗濯洗剤組成物はまた、アニオン性界面活性剤、非イオン性界面活性剤、双性イオン性界面活性剤、両性界面活性剤、カチオン性界面活性剤、及びこれらの組み合わせからなる群から選択される１種以上の界面活性剤を含む界面活性剤系も含む。そのような液体洗濯洗剤組成物の総界面活性剤含量は、当該組成物の総重量の約１０％〜約９０％、好ましくは約１０％〜約８０％、より好ましくは約１５％〜約６０％の範囲であってよい。
【００３１】
液体洗濯洗剤組成物の界面活性剤系が、非イオン性（ＮＩ）界面活性剤及びアニオン性（ＡＩ）界面活性剤の両方を、約１．７〜約２０、好ましくは約１．８〜約１０、より好ましくは約２〜約５の範囲の特定のＮＩ対ＡＩ重量比で含むことが、本発明の重要な特徴である。液体洗濯洗剤組成物中のＮＩ界面活性剤及びＡＩ界面活性剤の総量は、約６重量％〜約５０重量％、好ましくは約１０重量％〜約４０重量％、より好ましくは約１２重量％〜約３０重量％の範囲であってよい。
【００３２】
本発明の液体洗濯洗剤組成物に含まれ得る非イオン性界面活性剤は、アルキルアルコキシル化アルコール、アルキルアルコキシル化フェノール、アルキル多糖類、ポリヒドロキシ脂肪酸アミドなどが挙げられるがこれらに限定されない、任意の従来の非イオン性界面活性剤であってよい。好ましい非イオン性界面活性剤は、式Ｒ１（ＯＣ２Ｈ４）ｎＯＨのものであり、式中、Ｒ１はＣ８〜Ｃ１８アルキル基又はアルキルフェニル基であり、ｎは約１〜約８０である。特に好ましいのは、Ｓｈｅｌｌから市販されているＮＥＯＤＯＬ（登録商標）非イオン性界面活性剤などの、約１〜約２０、好ましくは約５〜約１５、より好ましくは約７〜約１０の重量平均エトキシル化度を有するＣ８〜Ｃ１８アルキルエトキシル化アルコールである。
【００３３】
本明細書で有用な非イオン性界面活性剤の他の非限定例としては、アルコキシレート単位がエチレンオキシ単位、プロピレンオキシ単位、又はこれらの混合物であり得るＣ６〜Ｃ１２アルキルフェノールアルコキシレート；Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）；Ｃ１４〜Ｃ２２中鎖分枝鎖状アルコール（ＢＡ）；Ｃ１４〜Ｃ２２中鎖分枝鎖状アルキルアルコキシレートＢＡＥｘ（式中、ｘは１〜３０である）；アルキル多糖類、具体的にはアルキルポリグリコシド；ポリヒドロキシ脂肪酸アミド；及びエーテル末端処理ポリ（オキシアルキル化）アルコール界面活性剤が挙げられる。好適な非イオン性界面活性剤としては更に、商標名Ｌｕｔｅｎｓｏｌ（登録商標）としてＢＡＳＦから販売されているものも挙げられる。
【００３４】
非イオン界面活性剤は、本発明の液体洗濯洗剤組成物中に、約５重量％〜約４５重量％、好ましくは約８重量％〜４０重量％、より好ましくは約９重量％〜約３０重量％の範囲の量で提供され得る。特に好ましい一実施形態では、液体洗濯洗剤組成物は、約９重量％〜約３０重量％の、７〜１０の範囲の重量平均エトキシル化度を有するＣ８〜Ｃ１８アルキルエトキシル化アルコールを含有する。
【００３５】
本発明の液体洗濯洗剤組成物に使用されるアニオン性界面活性剤は、好ましくは、分子構造中に約１０〜約２０個の炭素原子及びスルホン酸／ホスホン酸又は硫酸／リン酸エステル基を含有するアルキル基（アシル基のアルキル部分は用語「アルキル」に含まれる）を有する有機スルホン酸反応生成物の、水溶性塩、好ましくはアルカリ金属塩及び／又はアンモニウム塩などの非石鹸合成アニオン性界面活性剤である。好適な合成アニオン性界面活性剤の例としては、Ｃ１０〜Ｃ２０直鎖状アルキルベンゼンスルホネート、Ｃ１０〜Ｃ２０直鎖状又は分枝鎖状アルキルサルフェート、０．１〜５．０の範囲の重量平均エトキシル化度を有するＣ１０〜Ｃ２０直鎖状又は分枝鎖状アルキルエトキシサルフェート、Ｃ１０〜Ｃ２０直鎖状又は分枝鎖状アルキルエステルサルフェート、Ｃ１０〜Ｃ２０直鎖状又は分枝鎖状アルキルスルホネート、Ｃ１０〜Ｃ２０直鎖状又は分枝鎖状アルキルエステルスルホネート、Ｃ１０〜Ｃ２０直鎖状又は分枝鎖状アルキルホスフェート、Ｃ１０〜Ｃ２０直鎖状又は分枝鎖状アルキルホスホネート、Ｃ１０〜Ｃ２０直鎖状又は分枝鎖状アルキルカルボキシレート、並びにこれらの組み合わせ（これらのナトリウム塩、カリウム塩、及び／又はアンモニウム塩を含む）が挙げられるが、これらに限定されない。
【００３６】
本発明の実施に特に好ましいのは、Ｃ１０〜Ｃ２０直鎖状アルキルベンゼンスルホネート（ＬＡＳ）、及び約０．１〜約５、好ましくは約０．５〜約４、より好ましくは約１〜約３の範囲の重量平均エトキシル化度を有するＣ１０〜Ｃ２０直鎖状又は分枝鎖状アルキルエトキシサルフェート（ＡＥＳ）を含有する、アニオン性界面活性剤である。本発明の特に好ましい実施形態では、液体洗濯洗剤組成物は、ＬＡＳ及びＡＥＳの両方を含む。
【００３７】
アニオン性界面活性剤は、本発明の液体洗濯洗剤組成物中に、約０．５重量％〜約１５重量％、より好ましくは約１重量％〜１２重量％、より好ましくは約２重量％〜約１０重量％の範囲の濃度で提供され得る。特に好ましい一実施形態では、液体洗濯洗剤組成物は、約２重量％〜約１０重量％のＬＡＳ及びＡＥＳを含有するが、ＡＥＳは１〜３の範囲の重量平均エトキシル化度を有し、ＬＡＳとＡＥＳとの間の重量比は、１：２〜５：１、好ましくは１：１〜４：１、より好ましくは１．５：１〜３：１の範囲である。最も好ましくは、ＮＩ対ＡＩ（すなわち、ＬＡＳ＋ＡＥＳ）の重量比は、約２〜約５の範囲である。
【００３８】
本明細書において有用な他の界面活性剤としては、両性界面活性剤、双性イオン性界面活性剤及びカチオン性界面活性剤が挙げられる。そのような界面活性剤は、洗濯洗剤において使用されることが周知であり、典型的には、約０．２重量％、０．５重量％、又は１重量％〜約１０重量％、２０重量％、又は３０重量％の濃度で存在する。
【００３９】
本発明の好ましいが必須ではない実施形態では、液体洗濯洗浄組成物は、約０．５重量％〜約２０重量％の、１種以上の両性及び／又は双性イオン性界面活性剤を更に含有する。
【００４０】
好ましい両性界面活性剤は、例えば、アルキルジメチルアミンオキシド又はアルキルアミドプロピルジメチルアミンオキシドのようなアミンオキシド界面活性剤からなる群から選択され、より好ましくはアルキルジメチルアミンオキシド、特にココジメチルアミノオキシドである。アミンオキシドは、直鎖状又は中鎖分枝鎖状アルキル部分を有し得る。典型的な直鎖状アミンオキシドは、式Ｒ１−Ｎ（Ｒ２）（Ｒ３）−Ｏを特徴歳、式中、Ｒ１はＣ８〜１８アルキルであり、Ｒ２及びＲ３は、独立して、例えば、メチル、エチル、プロピル、イソプロピル、２−ヒドロキシエチル、２−ヒドロキシプロピル、及び３−ヒドロキシプロピルなどの、Ｃ１〜３アルキル及びＣ１〜３ヒドロキシアルキルからなる群から選択される。本明細書で使用するとき、「中鎖分枝鎖状」とは、アミンオキシドが、ｎ１個の炭素原子を有する１つのアルキル部分を有し、このアルキル部分における１つのアルキル分枝がｎ２個の炭素原子を有することを意味する。アルキル分枝は、アルキル部分上の窒素からα炭素上に位置する。アミンオキシドのこの種の分枝は、当該技術分野において、内部アミンオキシドとしても知られている。ｎ１とｎ２の総和は、約１０〜約２４個、好ましくは約１２〜約２０個、より好ましくは約１０〜約１６個の炭素原子である。１つのアルキル部分と１つのアルキル分枝とが対称となるように、１つのアルキル部分の炭素原子数（ｎ１）は、１つのアルキル分枝の炭素原子数（ｎ２）とおよそ同じでなければならない。本明細書で使用するとき、「対称」とは、本明細書で使用される中鎖分枝鎖状アミンオキシドの少なくとも約５０重量％、より好ましくは少なくとも約７５重量％〜約１００重量％において、｜ｎ１−ｎ２｜が５個以下、好ましくは４個、最も好ましくは０〜４個の炭素原子であることを意味する。特に好ましい両性界面活性剤は、Ｃ１０〜Ｃ１４アルキルジメチルアミンオキシドである。
【００４１】
好ましい双性イオン性界面活性剤は、ベタイン界面活性剤、例えば、アルキルベタイン、アルキルアミドベタイン、アミダゾリニウムベタイン、スルホベタイン（スルタインとも呼ばれる）、並びにホスホベタインなどである。特に好ましいベタインは、ココアミドプロピルベタインである。
【００４２】
高級脂肪酸、すなわち「石鹸」の水溶性塩もまた、本発明の液体洗濯洗剤組成物において有用なアニオン性界面活性剤であるが、本発明でＮＩ対ＡＩ重量比を計算する際に、そのような石鹸は考慮されない。好適な石鹸としては、約８〜約２４個の炭素原子、好ましくは約１２〜約１８個の炭素原子を含有する高級脂肪酸のアルカリ金属塩（ナトリウム塩、カリウム塩、アンモニウム塩、及びアルキルアンモニウム塩など）が挙げられる。石鹸は、油脂の直接鹸化によって、又は遊離脂肪酸の中和によって作製することができる。特に有用なものは、ココナッツ油及び獣脂から誘導される脂肪酸の混合物のナトリウム塩及びカリウム塩、すなわち、ナトリウム又はカリウムタロー及びココナッツ石鹸である。しかしながら、本発明の液体洗濯洗剤組成物は、好ましくは、例えば、約３重量％以下、より好ましくは約２重量％又は１重量％以下の比較的低い濃度で石鹸を含有し、最も好ましくは、当該液体洗濯洗剤組成物は、石鹸を実質的に又は本質的に含まない。
【００４３】
液体洗濯洗剤組成物
本発明の液体洗濯洗剤組成物は、布地の自動機械洗浄若しくは手洗い、又は例えば、漂白剤、すすぎ助剤、添加剤、若しくは前処理タイプなどの洗浄助剤を含む布地洗浄用途に好適である。
【００４４】
液体洗濯洗剤組成物は、完全に製剤化された洗濯洗剤製品であり得る。封入された及び／又は単位化された用量製品に含有される液体組成物が、２つ以上の別個であるが一緒に分注可能な部分を含む組成物のように含まれる。好ましくは、液体洗濯洗剤組成物は、水性キャリアとして水を含有し、キャリアとして水単独又は有機溶媒と水との混合物のいずれを含有していてもよい。好適な有機溶媒は、直鎖状又は分枝鎖状の低級Ｃ１〜Ｃ８アルコール、ジオール、グリセロール、又はグリコール；Ｃ１〜Ｃ４アルカノールアミンなどの低級アミン溶媒、及びこれらの混合物である。代表的な有機溶媒としては、１，２−プロパンジオール、エタノール、グリセロール、モノエタノールアミン、及びトリエタノールアミンが挙げられる。キャリアは、典型的には、液体洗濯洗剤組成物の総重量の約０．１％〜約９８％、好ましくは約１０％〜約９５％、より好ましくは約２５％〜約７５％の範囲の濃度で存在する。いくつかの実施形態では、水は、キャリアの約８５〜約１００重量％である。他の実施形態では、水は存在せず、組成物は無水である。本発明により得られる非常に好ましい組成物は、透明な等方性の液体である。
【００４５】
本発明の液体洗濯洗剤組成物は、約１〜約２０００センチポアズ（１〜２０００ｍＰａ・ｓ）、又は約２００〜約８００センチポアズ（２００〜８００ｍＰａ・ｓ）の粘度を有する。粘度は、ブルックフィールド粘度計、２番スピンドルを使用し、６０ＲＰＭ／ｓで、２５℃にて測定して決定することができる。
【００４６】
上記成分に加えて、本発明の液体洗濯組成物は、外部構造化剤を含んでいてもよく、この外部構造剤は、当該組成物の総重量の約０．００１％〜約１．０％、好ましくは約０．０５％〜約０．５％、より好ましくは約０．１％〜約０．３％の範囲の量で存在し得る。本発明の実施に特に好ましい外部構造化剤は、トリヒドロキシルステアリンとも呼ばれ、Ｔｈｉｘｉｎ（登録商標）の商標名で市販されている硬化ヒマシ油である。
【００４７】
上記成分に加えて、本発明の液体洗濯洗浄組成物の残部は、典型的には、約５重量％〜約７０重量％、又は約１０重量％〜約６０重量％の補助成分を含有する。洗濯洗剤製品に好適な補助成分としては、ビルダー、キレート剤、移染防止剤、分散剤、レオロジー変性剤、酵素、及び酵素安定剤、触媒物質、漂白活性化剤、過酸化水素、過酸化水素源、予備形成過酸、ポリマー分散剤、粘土汚れ除去／再付着防止剤、増白剤、泡抑制剤、染料、光漂白剤、構造伸縮性付与剤、布地柔軟剤、キャリア、ヒドロトロープ、加工助剤、溶媒、色相剤、抗菌剤、遊離香油、並びに／又は顔料が挙げられる。液体洗濯洗剤組成物中におけるこれら補助成分の正確な性質及びその濃度は、組成物の具体的な種類、及び組成物が使用される洗浄作業の性質などの要因によって決まる。
【００４８】
液体洗濯洗剤組成物の使用方法
一態様では、本発明は、布地を処理するための上記液体洗濯洗剤組成物の使用方法であって、（ｉ）上記の液体洗濯洗剤組成物を提供する工程と、（ｉｉ）当該液体洗濯洗剤組成物を水で希釈することによって洗濯液を形成する工程と、（ｉｉｉ）当該洗濯液中で布地を洗浄する工程と、（ｉｖ）当該布地を水ですすぐ工程と、を含む方法を目的とする。
【００４９】
機械洗濯法は、有効量の本発明による液体洗濯用洗浄組成物がその中に溶解又は分注されている縦型又はドラム型の自動又は半自動洗濯機内で、汚れた布地を水性洗浄溶液で処理することを含み得る。「有効量」の液体洗濯洗剤組成物とは、約２０ｇ〜約３００ｇの製品が約５Ｌ〜約６５Ｌの体積の洗浄溶液中に溶解又は分散していることを意味する。水温は、約５℃〜約１００℃の範囲であってよい。水の汚れた布地に対する比は、約１：１〜約３０：１であってよい。液体洗濯洗剤組成物は、溶液中約５００ｐｐｍ〜約１５，０００ｐｐｍの濃度で使用され得る。洗剤の投入濃度は、汚れ及び染みの種類及び酷さだけでなく、洗浄水の温度、洗浄水の体積、及び洗濯機の種類（例えば、縦型、ドラム型、垂直軸型日本式自動洗濯機）に応じても変化し得る。
【００５０】
本明細書の液体洗濯洗剤組成物は、低い洗浄温度で布地を洗濯するために使用され得る。これらの布地洗濯方法は、液体洗濯洗剤組成物を水に入れて洗浄液を形成する工程と、洗濯する布地を当該洗浄液に加える工程と、を含み、当該洗浄液の温度は、約０℃〜約２０℃、又は約０℃〜約１５℃、又は約０℃〜約９℃である。液体洗濯洗剤組成物を水と接触させる前、後、又は同時に、布地を水に接触させてもよい。
【００５１】
手洗浄／浸漬方法、及び半自動洗浄機を用いた組み合わせ手洗浄も含まれる。
【実施例】
【００５２】
実施例１：ＡＰＥＩ含有液体洗濯洗剤組成物の粘土／汚れ除去性能に対する様々なＮＩ対ＡＩ重量比の影響を示す比較例
７つの例示的な液体洗濯洗剤組成物Ａ〜Ｇを提供するが、これらは全て、約１重量％のＡＰＥＩポリマーと、約１４．６重量％の、ＮＩ界面活性剤及び２つのＡＩ界面活性剤（ＬＡＳ及びＡＥＳ）の両方を含む界面活性剤と、を含有する。これらの例示的な液体洗濯洗剤組成物中のＮＩ対ＡＩ重量比は、約０．５〜約５、例えば、約０．５、０．８、１、１．２、１．５、２、及び５で変動する。以下は、例示的な液体洗濯洗剤組成物Ａ〜Ｇの詳細な組成分解である。
【００５３】
【表１】
2021528542.tif 000005
１実験式ＰＥＩ６００ＥＯ２０を有するエトキシル化ポリエチレンイミン。
２重量平均エトキシル化度が７であるＣ１２〜Ｃ１５アルキルエトキシル化アルコール。
３Ｃ１１〜Ｃ１２直鎖状アルキルベンゼンスルホネート。
４重量平均エトキシル化度が約３であるＣ１２〜１４アルキルエトキシル化サルフェート。
【００５４】
上記の例示的な液体洗濯洗剤組成物のそれぞれを使用して布地を処理し、次いで、その汚れ／粘土除去性能を以下のように測定する。
ｉ）それぞれが約５ｃｍ×５ｃｍのサイズを有し、５０％／５０％ポリエステル−綿ブレンドを含有する３つの布地片を調製し、
ｉｉ）ＳｐｅｔｒｏーＧｕｉｄｅ  ４５／０  Ｇｌｏｓｓ  ６８０１カラー分光光度計（ＢＹＫ−Ｇａｒｄｎｅｒ  ＧｍｂＨ（Ｇｅｒｅｔｓｒｉｅｄ，Ｇｅｒｍａｎｙ）から市販されている）を使用して各布地片のＬ／ａ／ｂ値を測定し、洗浄前の３片の布地全てについて平均Ｌ／ａ／ｂ値を計算し、
ｉｉｉ）約２００ｇｐｇの水硬度レベルを有する逆浸透（ＲＯ）水（Ｃａ２＋対Ｍｇ２＋重量比、約４：１）８００ｍＬに試料液体洗濯洗剤組成物約１．６グラムを溶解させて、約２０００ｐｐｍの洗剤投入量の洗浄液を形成し、
ｉｖ）約１グラムのＡｒｉｚｏｎａ  Ｔｅｓｔ  Ｄｕｓｔ（ＩＳＯ１２１０３−１、０〜３マイクロメートルの公称粒径を有するＡ２試験微粉、Ｐｏｗｄｅｒ  Ｔｅｃｈｎｏｌｏｇｙ  Ｉｎｃから市販されている）を工程（ｉｉｉ）からの８００ｍＬの洗浄液に添加して、均一な混合物を形成し、
ｖ）３つの布地片を工程（ｉｖ）の混合物に加え、ターゴトメーター（Ｃｏｐｌｅｙ  Ｓｃｉｅｎｔｉｆｉｃ）で約２０分間洗浄し、
ｖｉ）洗浄した布地片をＲＯ水で約１分間すすぎ、次いで、乾燥させ、
ｖｉｉ）同じＳｐｅｔｒｏーＧｕｉｄｅ  ４５／０  Ｇｌｏｓｓ  ６８０１カラー分光光度計を使用して各乾燥させた布地片のＬ／ａ／ｂ値を測定し、洗浄後の３片の布地全てについて平均Ｌ／ａ／ｂ値を計算し、
ｖｉｉｉ）試料液体洗濯洗剤組成物の粘土／汚れ除去性能の指標として、洗浄前後の平均Ｌ／ａ／ｂ値の間のΔＥを計算する。ΔＥ値が高いほど、洗浄中により多くの粘土／汚れが布地に再び付着し、したがって、試料液体洗濯洗剤組成物の粘土／汚れ除去性能が悪くなる。
【００５５】
図１は、これらの組成物中のＮＩ対ＡＩ重量比の関数として、上述の７つの例示的な液体洗剤組成物のそれぞれのΔＥ値をプロットする。ＮＩ−対ＡＩの重量比が約１．５以下である場合、液体洗濯洗剤組成物の粘土／汚れ除去性能が比較的低い（１２．０を上回る高いΔＥ値によって示される）ことが、図１から明らかである。しかしながら、ＮＩ対ＡＩ重量比が１．５を上回ると、液体洗濯洗剤組成物の粘土／汚れ除去性能は著しく改善する（２及び５のＮＩ対ＡＩ比におけるΔＥ値がより低いことによって示される）。液体洗濯洗剤組成物のＮＩ対ＡＩ比が約２である場合、最良の粘土／汚れ除去性能が観察される。
【００５６】
実施例２−例示的な液体洗濯洗剤組成物
列挙された成分を示されている比率で一緒に混合することによって、液体洗濯洗剤組成物１〜６を作製する。
【００５７】
【表２】
2021528542.tif 000006
１実験式ＰＥＩ６００ＥＯ２０を有するエトキシル化ポリエチレンイミン。
２実験式ＰＥＩ６００ＥＯ２４ＰＯ１６を有するエトキシル化ポリエチレンイミン。
３重量平均エトキシル化度が７であるＣ１２〜Ｃ１５アルキルエトキシル化アルコール。
４重量平均エトキシル化度が７であるＣ１２〜Ｃ１４アルキルエトキシル化アルコール。
５Ｃ１１〜Ｃ１２直鎖状アルキルベンゼンスルホネート。
６重量平均エトキシル化度が約３であるＣ１２〜１４アルキルエトキシル化サルフェート。
【００５８】
本明細書にて開示された寸法及び値は、列挙された正確な数値に厳密に限定されるものとして理解されるべきではない。その代わりに、特に指示がない限り、そのような各寸法は、列挙された値とその値を囲む機能的に同等な範囲との両方を意味することが意図されている。例えば、「４０ｍｍ」と開示された寸法は、「約４０ｍｍ」を意味することが意図される。
【００５９】
相互参照される又は関連する任意の特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【００６０】
本発明の特定の実施形態を例示及び説明してきたが、本発明の趣旨及び範囲から逸脱することなく様々な他の変更及び修正を行うことができる点は当業者には明白であろう。したがって、本発明の範囲内にある全てのそのような変更及び修正を添付の特許請求の範囲に網羅することが意図されている。
【図１】
2021528542.tif 000007
【国際調査報告】
2021528542.tif 000008
2021528542.tif 000009